(57)【特許請求の範囲】
【請求項１】
内部に通ずる開口部を有する塗布液貯蔵容器と、前記容器の開口部を密閉するキャップとからなるものであって、
前記キャップは、
硬質の基礎部材と、
この基礎部材に固定され、縦方向に整列して配置されたブラシ状塗布具と、
前記基礎部材の表面に圧縮性を有する材料又は非硬質の材料で形成され、このキャップの把持部表面とされる外殻部材を有し、前記基礎部材の一部が、ブラシ状塗布具の設けられている側の末端において、外殻から延出していること
を特徴とする塗布具を有する複合容器。
【請求項２】
内部に通ずる開口部を有する塗布液貯蔵容器と、前記容器の開口部を密閉するキャップとからなるものであって、
前記キャップは、
硬質の基礎部材と、
この基礎部材に固定され、縦方向に整列して配置されたブラシ状塗布具と、
前記基礎部材の表面に圧縮性を有する材料又は非硬質の材料で形成され、このキャップの把持部表面とされる外殻部材を有し、
前記基礎部材が、ブラシ状塗布具の設けられている側の末端にフランジを備えていること
を特徴とする塗布具を有する複合容器。
【請求項３】
前記キャップは、
角のない横断面を有すること
を特徴とする請求項１又は２に記載の塗布具を有する複合容器。
【請求項４】
前記外殻部材は、
約２９から約６９のジュロメーター硬度を有する材料で調製されていること
を特徴とする請求項１又は２に記載の塗布具を有する複合容器。
【請求項５】
前記外殻部材は、
約１ｍｍから約３ｍｍの厚みを有するものであること
を特徴とする請求項１又は２に記載の塗布具を有する複合容器。
【請求項６】
前記外殻部材は、
熱可塑性エラストマー及びシリコンゴムから選ばれた材料で調製されていること
を特徴とする請求項１又は２に記載の塗布具を有する複合容器。
【請求項７】
前記基礎部材は、
ポリプロピレン、ＡＢＳ共重合体及びナイロンから選ばれた材料で調製されていること
を特徴とする請求項１又は２に記載の塗布具を有する複合容器。
【請求項８】
前記外殻部材は、
凹型形状で形成された外表面を有すること
を特徴とする請求項１又は２に記載の塗布具を有する複合容器。
【請求項９】
前記貯蔵容器の開口部には雄ねじを、前記基礎部材には、前記貯蔵容器の雄ねじと螺合する雌ねじを有すること
を特徴とする請求項１又は２に記載の塗布具を有する複合容器。
【請求項１０】
前記外殻部材は、
その外表面内部に拡がる窪みを有すること
を特徴とする請求項１又は２に記載の塗布具を有する複合容器。
【発明の詳細な説明】
【０００１】
【発明の属する技術分野】
この発明は化粧品に関するもので、特には塗布具付きキャップを有するマニキュア用複合容器に関するものである。
なお、この出願は、２０００年９月２９日に出願された米国予備出願番号６０／２３６，１５０号に基づく優先権主張出願である。
【０００２】
【従来の技術】
マニキュア容器のねじキャップに、ブラシ状塗布具を結合することは知られているが、このキャップは、容器の密閉とブラシ状塗布具の把手として機能している。しかしながら、従来のマニキュア容器のキャップは、ブラシ状塗布具の把手として用いるには好適なものではなかった。
【０００３】
特に、比較的小さなサイズのキャップは、ブラシ状塗布具として取扱うには、その機能が劣るものである。
【０００４】
小さなキャップは、使用者の指先で握られるだけであるため、キャップの縦軸に沿って平行に指先が滑ってしまうことがある。この指先の滑りは、使用者が小さい指の爪の表面へ、細かな筆捌きを均一に行うことを難しくする。それに加えて、従来のマニキュア容器の塗布具付きキャップは、断面としてみたときに角状部が存在しない、すなわち、丸か曲面で形成されているので、この曲面構造は、キャップを捻って容器を開けたり閉めたりする際、指先を回転方向に滑らす。特に、使用者が指にマニキュアを塗布し、充分に乾かない状態では、キャップは指先で軽く持たれており、その様なときに容器にキャップをねじ込むのは困難である。
【０００５】
また、使用者の形態上の差異も、塗布具付きキャップの握りを弱くすることもあり、指の大きさと形に変化があるため、使用者それぞれは、ちょうど良い握り場所を求めようとして、キャップに沿って種々の場所でキャップを握ることになる。指の大きな使用者は、ブラシを堅持するために、より中心に近い場所、またはさらに、ブラシから離れた位置で握ることが必要と考えるかもしれないのに対して、指が短くて細い使用者は、ブラシを堅持するために、ブラシが固定されている末端近くでキャップを握り、ねじ込むようである。キャップの長さに沿って異なる場所で握るということは、キャップの握りに影響を与える。それはすなわち、ブラシの塗り動作に影響するものである。
【０００６】
また、別の問題としては、疲労がある。マニキュアを、滑らかに又均一に塗るために、使用者はキャップをきつく握りがちである。使用者は、キャップを指先できつく押さえることにより、使用者の手による塗布動作に影響するキャップの保持を安定化させている。キャップに力を加えたり、緩めたりすることを繰り返すことは、苦痛であり、疲労を生じさせるものである。
【０００７】
キャップの材質によっても、疲労や握り難さを生じる。マニキュア容器のキャップは、堅い硬質の樹脂で作られており、その外表面は硬く柔軟性がなく、少しの時間でも長く持っていることは楽なものではない。上記したように、使用中、指先で繰り返して強く握ると、硬い表面が苦痛と疲労を倍化させる。従来、硬質で平滑な表面を有するキャップの握りを改善するために、キャップの表面に、うねや隆起部を設けることが行われたが、快適性を損なうものであった。
【０００８】
【発明が解決しようとする課題】
この発明の目的は、キャップの表面が非硬質の材料で形成され、握って使用する際、回転方向や軸方向に滑ることを防止し、使用中の快適さを向上させ、使い易さの改良により塗布性能を向上し、さらに疲労も減少させる、塗布具付きキャップを有するマニュキュア容器を提供することである。
【０００９】
また、この発明の目的は、塗布具付きキャップの表面を圧縮性のものとすることにより、塗布具の塗布性能を向上させた塗布具付きキャップを有するマニュキュア容器を提供することである。
【００１０】
さらに、この発明の目的は、爪にマニキュアを塗布する方法を提供することである。
【００１１】
【課題を解決するための手段】
この発明の請求項１に記載の発明は、
内部に通ずる開口部を有する塗布液貯蔵容器と、前記容器の開口部を密閉するキャップとからなるものであって、
前記キャップは、
硬質の基礎部材と、
この基礎部材に固定され、縦方向に整列して配置されたブラシ状塗布具と、
前記基礎部材の表面に圧縮性を有する材料又は非硬質の材料で形成され、このキャップの把持部表面とされる外殻部材を有し、
前記基礎部材の一部が、ブラシ状塗布具の設けられている側の末端において、外殻から延出していること
を特徴とする塗布具を有する複合容器である。
【００１２】
さらに、この発明の請求項２に記載の発明は、
内部に通ずる開口部を有する塗布液貯蔵容器と、前記容器の開口部を密閉するキャップとからなるものであって、
前記キャップは、
硬質の基礎部材と、
この基礎部材に固定され、縦方向に整列して配置されたブラシ状塗布具と、
前記基礎部材の表面に圧縮性を有する材料又は非硬質の材料で形成され、このキャップの把持部表面とされる外殻部材を有し、
前記基礎部材が、ブラシ状塗布具の設けられている側の末端にフランジを備えていること
を特徴とする塗布具を有する複合容器である。
【００１３】
【発明の実施の形態】
この発明は、塗布具付きキャップを有する容器に関するもので、塗布される物質を収納し、内容物に通ずる開口部を有するビンと、硬質の基礎部材、硬質の基礎部材に固定され、縦方向に整列して配置された塗布ブラシ、基礎部材の表面に配置された圧縮性を有する材質からなり、キャップの把持部表面を形成する外殻部材からなる、ビンの開口部と組み合って密閉するためのキャップに関するものである。
【００１４】
図１は、この発明の一実施態様である、ビンと塗布具付きキャップ複合体を示す図であって、キャップＣは、マニキュアビンＢの開口部（首）に結合されるものであることを、整列することにより示している。
【００１５】
図２及び図３に、明確に示されているように、キャップＣは、一般的に、角のない横断面を有し、好ましくは、マニキュアビンＢの首に確実に螺合されることのできる、十分な硬度を有する材質で作られている基礎部材２を有している。
【００１６】
この基礎部材２は、好ましくは、ＡＢＳ共重合体、ポリプロピレン、ナイロン又は他の硬質の、非可撓性の材料で調製される。ＡＢＳ、ポリプロピレン及びナイロンは、それらが硬質で非可撓性の材料であるうえ、以下に述べる柔軟性の外殻材と適切に結合するので好ましい。好適なポリプロピレンは、ドイツのバスフ（ＢＡＳＦ）から入手することができる。
【００１７】
基礎部材２は、側外壁１６、下部にフランジ１８を有し、基礎部材２の反対側の上部末端に頂部表面１０が形成されている。頂部表面１０に設けられ、突出している刻印６は会社のロゴや他の印字などの装飾物である。明らかなことであるが、突出している刻印６は所望要件である。
【００１８】
基礎部材２の内部には、側内壁２０が上方に向かって、内頂部２４まで形成されている。この側内壁２０には、ビンＢの雄ねじに結合する雌ねじ２２が設けられている。側内壁２０の長さを変更することは、この発明の権利範囲内のことである。例えば、側内壁２０を延長し、基礎部材２の頂部表面１０に近接させることもできる。
【００１９】
内頂部２４には、図に示されるように、シャフト３０の末端２８を内部に固定するために、設けられた柱状部材２６が内部を横切るように延出されている。シャフト３０の他端には、ブラシ３２が設けられている。
【００２０】
この発明においては、基礎部材２に塗布ブラシの軸を支持させる種々の方法が採用され得る。例えば、図に示されるように、シャフト３０と末端２８を組合せたものとするよりも、別途、基礎部材２の側内壁２０に押し付けて用いられる結合具を用意し、シャフト３０の末端を固定することもできる。
【００２１】
非硬質の外装材、あるいは外殻部材３４は、硬質の基礎部材２の外側に設けられる。外殻部材３４は、高い触感性を有する柔軟性のある材料で、塗布ブラシ付きキャップの硬質部材と、使用者の間に介在させるものである。
【００２２】
この非硬質の外部表面は、使用者がキャップを握る際に、回転方向や軸方向に滑ることを防止し、ブラシによる爪の表面へのマニキュア塗布機能を向上させる緩和効果を生み出し、全体的に凹んだ表面形状とも合わさって、ブラシの使用による疲労を低減させる。
【００２３】
この緩和効果は、使用者が指で保持して使用する際の、過剰な動きや勝手な動きを抑制するもので、柔軟性を有し、復元力と圧縮性を有する外部表面により、短いけれど急な動きを緩和し、滑らかで、確実な抑制された筆捌きを可能とするものである。
【００２４】
この発明のキャップを使用した際の、全体的な使い易さの向上は、ブラシの塗布機能とマニキュアの塗布性を高め、従来の塗布具付きキャップにおけるものを大きく越える改良である。
【００２５】
非硬質の外殻部材３４は、好ましくは、熱可塑性エラストマーから形成され、一例として、ジュロメーター値が約２９から約６９で、厚さが約１ｍｍから約３ｍｍのものが挙げられる。好ましい例としては、ショアー値が約４５で、厚さが約１．５ｍｍから約３．０ｍｍの範囲にあるものが挙げられる。
【００２６】
明らかなことであるが、外殻部材３４の厚さは種々変更可能である。例えば、キャップの長さに応じて、外殻部材３４は均一な厚さにしたり、厚さに変化を持たせることができる。
【００２７】
軟質の外殻部材３４は、シリコンゴム又はその他の材料を用いて、ここに示されているショアー値及び／又はここで要求されている機能を有するように調製される。発明者は、熱可塑性エラストマーは、硬質の基礎部材２の調製に用いられる上記材料と良好に結合することを見出している。
【００２８】
上記に述べた熱可塑性エラストマーは、塗布具付きキャップの外表面に、十分な触感性と弾力性を付与し、表面摩擦を増加させて使用者のキャップの握りを改善すると共に、ブラシ３２が表面に接触する際の不安定で望ましくない動きを緩和させ又は最小にする。
【００２９】
その緩和の効果は、外殻を形成する熱可塑性エラストマーにわずかな反りを設けることで変化させられる。すなわち、キャップＣを持って爪の表面にブラシ３２を動かす際、使用者の指に対応して僅かに圧縮されるようにされている外殻部材３４は、爪の表面におけるブラシ３２の動きを適切なものとし、それによりブラシ３２の動きをより確実で均一なものとする。
【００３０】
外殻部材３４は、ブラシ３２を、爪の表面にマニキュアを塗布する際の使用者の指におけるキャップＣの軸方向の滑りや、ビンＢにキャップＣを捻って閉めたり、開けたりする際の滑りを減少させる機能を発揮する。
【００３１】
熱可塑性エラストマーとして好ましいものは、ＳＡＮＴＯＰＲＥＮＥ（商標：Advanced Elastomer Systems）として市場で販売されているものである。他の好ましい熱可塑性エラストマーとしては、ＴＨＥＲＭＯＬＡＳＴ  Ｋ（商標：Gummiwerk Kraiburg（ドイツ））として市場で販売されているものである。その他の熱可塑性エラストマーも、上記した柔軟性や緩和特性を与え、内側に形成される基礎部材２を構成する材料と良好な結合性を有するものであれば、この発明に用いることができる。
【００３２】
外殻部材３４は、好ましくは、射出成形、特に二軸押出機構を有する射出成形を用いて、硬質の基礎部材２に固着される。上記機構は、二種の別々の材料を受け入れ硬化させる金型を使用する方法である。例えば、ポリプロピレンが回転する金型（図示せず）に射出されて、硬質の基礎部材２が形成され、次いで金型は第二位置に回転移動し、熱可塑性エラストマーが射出され外殻部材３４が形成される。外殻部材３４と基礎部材２の間に、良好な固着状態が形成される方法であれば、他の方法も、この発明に用いられる。
【００３３】
図２は、外殻部材３４が、硬質の基礎部材２の外側を、完全には被覆していないことを示している。すなわち、基礎部材２の突出刻印６は、外殻部材３４の開口部３６を通って延出している。上記したように、この刻印６は、会社のロゴや他の印字などから形成され、もちろん所望要件である。
【００３４】
フランジ１８の外表面は、同様に外殻部材３４によってカバーされていないことが示され、また図に示されるように、外殻部材３４の外部表面に連続して又は同一平面を形成している。
【００３５】
このフランジ１８は、キャップＣの底部３８から側部に延出し、末端を形成することが示され、しかもそれは硬質である。しかしながら、この発明において、美的又は機能的な観点からフランジ１８を取去り、あるいは変更することも可能である。
【００３６】
図１、２及び３に明確に示されている、この発明の他の構成態様として、外殻部材３４の外側壁３９が凹型であることで、外殻部材３４の全体の厚みは、キャップＣの縦軸に沿って変化していることである。図２における、矢印４０と４２は、厚みを増した外殻部分を示し、矢印４４は厚みの減った外殻部分を示すものである。少なくとも、凹型形状がもたらす効果には、使用者の指先にたいする人間工学的適性である。
【００３７】
キャップＣが、矢印４４で示される中央部分で、使用者の２本の指又は指先で握られ、爪の表面にブラシ３２が当てられるとき、矢印４０と４２で示される外殻部材３４の厚い部分は、圧縮又は曲げられて、ブラシ３２の動きを緩和させ、マニキュアの滑らかで均一な塗布を生じせしめる。
【００３８】
外殻部材３４の圧縮又は曲げは、平均より短い又は長い指を持っている使用者が、矢印４０や４２で示される末端に近い部分を握った際にも生じる。外殻部材３４は、使用者が指先でキャップＣの凹型の側壁を握った際も、回転方向や軸方向への滑りを減少させる機能をも有する。
【００３９】
回転方向への滑りは、マニキュアのキャップＣが、殆ど一様に角のない横断面を有するものであるため、大きな問題となっている。図２に示される基礎部材２は、実質的に円筒形状をなしているが、この発明においては、外側壁１６の表面を凹型やその他の形状にすることもできる。
【００４０】
図４と５は、この発明の他の実施態様を示すものである。図４と５の実施態様において、基礎部材２は好ましくは、組み合わされるマニキュアビン（図示せず）の開口部（首）に、キャップＣが確実に螺合されるように、十分な硬度を有する材質で作られている。
【００４１】
先の実施態様のように、基礎部材２は、好ましくは、外殻部材と融和性のあるＡＢＳ共重合体、ポリプロピレン、ナイロン、又は他の硬質の、非可撓性の材料で調製される。
【００４２】
基礎部材２は、外側壁１６、基礎部材の下部に設けられたフランジ１８、反対側の上部に設けられた頂部１０を有する。所望要件の突出刻印６は、頂部表面１０から延出し、会社のロゴや他の印字などの装飾物を形成する。
【００４３】
基礎部材２の内部には、側内壁２０が上方に向かって、内頂部２４まで形成されている。側内壁２０には、ビン（図示せず）の雄ねじに結合する雌ねじ２２が設けられている。
【００４４】
先の実施態様と同様に、側内壁２０の長さを変更することは、この発明の権利範囲内のことである。この実施態様においても、キャップＣは凹型形状でなく、上から下まで同一の直径を有している。内頂部２４には、図に示されるように、シャフト３０の末端２８を内部に固定するために、設けられた柱状部材２６が内部を横切るように延出されている。シャフト３０の他端には、ブラシ３２が設けられている。この発明においては、基礎部材２に塗布用のブラシ３２のシャフト３０を支持させる種々の方法が採用され得る。
【００４５】
図４と５の実施態様において、非硬質の外殻部材３５は、硬質の基礎部材２の外表面に設けられている。
【００４６】
この態様において、外殻部材３５が、高い触感性を有し、柔軟性のある材料を塗布ブラシ付きキャップＣの、比較的硬質な部分と使用者の指の間に介在させるものである。この非硬質の外殻部材３５の外部表面は、使用者がキャップＣを握る際に、回転方向や軸方向に滑ることを防止し、ブラシ３２による爪の表面へのマニキュア塗布機能を向上させ、キャップＣを保持することによる疲労を低減させる。
【００４７】
外殻部材３５の外部に設けられた凹みや窪み４６は、キャップＣの使用者の握りをより強めるためのものである。外殻部材３５の表面を異なる形状、例えば、これらに限定されるものではないが、隆起体やその他に変更することも、この発明の範囲内のものである。
【００４８】
窪み４６の設定は、外殻部材３５の厚みに変動を持たせるものであるが、図２に示されるような、窪みを除去し、外殻部材に実質的に均一な厚みを持たせるのもこの発明の範囲内である。
【００４９】
そのような態様において、外殻部材３５は、十分に厚みをもたせ、上記したように圧縮及び／又は曲げられるようにするとともに、表面の握りを改善する。一方、外殻部材３５を薄くし、圧縮性や柔軟性のないものとした場合は、滑り止め特性を付与することにより、キャップの握りを向上する機能が発揮される。
【００５０】
図６及び７は他の実施態様を示すもので、少なくも、外側壁１６が外殻部材３４の外側壁３９より突出していることが示されている。すなわち、外側壁１６から突出部又はフランジ１９は延出することにより、外殻部材３４によりカバーされない部分２１が生じる。
【００５１】
硬質又は非硬質材料からなり、非連続性の外壁表面で示される種々の、他の形状のものも、この発明において用いられる。また、フランジ１９は、接合部２３が外殻部材３４と接触するようにすることにより、基礎部材２の全周に亙って、完全に延出していなくてもよい。フランジ１９と外殻部材３４のこの接触は、ビンのキャップＣを捻って開けたり、閉めたりする際に生じるトルクにより、基礎部材２から外殻部材３４が分離する傾向を減少させる。
【００５２】
基礎部材２と外殻部材３４は分離可能で、それらは別々に形成され、接着剤で接合又は他の手段で結合されて一つのキャップＣとされるものも、この発明の教示のなかのものである。さらに、側外壁１６に、刻印６や他の装飾を施して、柔軟性と圧縮性を有する材料からなる面と、それとは区別される、内在する基礎部材２による硬質物質から連続する硬質部材からなる、非連続性の側壁面形成することもこの発明の範囲内のものである。これは、もちろん、キャップＣの外部に一定の制限を加えることにより、表面の握りを強化したキャップＣを提供するものである。
【００５３】
外殻部材３４に、他の材料を使用することも、この発明の範囲内である。キャップＣは上記したように、異なる材料を用い射出成形されるものであるが、単一の材料を用い、キャップ内部から外部表面にかけて、密度又は柔軟性を増すように射出成形することによって、支持とビンとの良好な結合力のための硬質の内部と、この発明の握りと減衰特性を有する柔軟で、弾力性のある外部からなるものが提供される。
【００５４】
好ましい形状を有するものについて、この発明を説明したが、さらなる改良、使用、この発明の応用、この発明の原則に又は当業者の公知の又は慣用の範囲の変更に概略において従うことができ、それらには、ここに述べられた中心概念が適用され、この発明または従属する特許請求の範囲内のものと理解されるものである。
【００５５】
【発明の効果】
この発明の複合容器は、キャップの表面が非硬質の材料で形成され、握って使用する際、回転方向や軸方向に滑ることを防止し、使用中の快適さを向上させ、使い易さの改良により塗布性能を向上し、さらに疲労も減少させる、塗布具付きキャップを有するマニュキュア容器として好適なものである。
【００５６】
また、この発明の複合容器は、塗布具付きキャップの表面を圧縮性のものとすることにより、塗布具の塗布性能を向上させた、塗布具付きキャップを有するマニュキュア容器を提供することができる。
【図面の簡単な説明】
【図１】マニキュアビンと組み合わされた、この発明の塗布具を有する複合容器の一例を示す斜視図である。
【図２】塗布ブラシ部の削除された図1の２−２線に沿った断面図である。
【図３】図1のキャップの部分分解組立図である。
【図４】この発明のキャップとビンの、他の実施例の斜視図である。
【図５】塗布ブラシ部の削除された図４の５−５線に沿った断面図である。
【図６】この発明の塗布具付きキャップとビンの、他の実施例の斜視図である。
【図７】図6で示されるキャップの部分分解組立図である。
【符号の説明】
Ｂ      マニキャアビン
Ｃ      キャップ
２      基礎部材
１６    側外壁
３２    ブラシ
３４    外殻部材
【図１】
0003766956.tif 000002
【図２】
0003766956.tif 000003
【図３】
0003766956.tif 000004
【図４】
0003766956.tif 000005
【図５】
0003766956.tif 000006
【図６】
0003766956.tif 000007
【図７】
0003766956.tif 000008